(57)【要約】【課題】施工時の作業性を向上させることが可能なキャビネット及び分電盤を提供する。【解決手段】キャビネット１０は、筐体１と、少なくとも２個の端子部２１を含む端子台２と、保持部材３とを備えている。保持部材３は、筐体１の内部に設けられている。保持部材３には、筐体１に対する前後方向への端子台２の移動を規制する第１規制部３７と、筐体１に対する第１規定方向への端子台２の移動を規制する第２規制部３６と、が設けられている。端子台２には、筐体１に対する第２規定方向への端子台２の移動を規制する第３規制部４０が、設けられている。端子台２は、第１状態と第２状態との間で変位し、かつ、第２状態と第３状態との間で変位する。第３規制部４０は、第３状態で、筐体１に対する第２規定方向への端子台２の移動を規制する。【選択図】図１
2017118701.tif 000002
【特許請求の範囲】
【請求項１】
前面が開口された矩形箱状の筐体と、少なくとも２個の端子部を含む端子台と、前記端子台を保持する保持部材とを備え、
前記保持部材は、前記筐体の内部に設けられ、
前記保持部材には、前記筐体に対する前後方向への前記端子台の移動を規制する第１規制部と、前記筐体に対する前後方向に直交する第１規定方向への前記端子台の移動を規制する第２規制部と、が設けられ、
前記端子台には、前記筐体に対する前後方向及び前記第１規定方向に直交する第２規定方向への前記端子台の移動を規制する第３規制部が、設けられ、
前記端子台は、前後方向、前記第１規定方向及び前記第２規定方向への移動が許可される第１状態と、前記第１規定方向への移動が前記第２規制部により規制される第２状態との間で変位し、かつ、前記第２状態と、前後方向及び前記第１規定方向への移動が前記第１規制部及び前記第２規制部により規制される第３状態との間で変位するように構成され、
前記第３規制部は、前記第３状態で、前記筐体に対する前記第２規定方向への前記端子台の移動を規制する
ことを特徴とするキャビネット。
【請求項２】
前記第３規制部は、前記端子台を前記保持部材に固定する固定部材である
ことを特徴とする請求項１記載のキャビネット。
【請求項３】
前記保持部材は、導電性を有し、
前記少なくとも２個の端子部のうち１個の端子部は、接地用の端子部であり、
前記接地用の端子部と前記保持部材とは、電気的に接続されている
ことを特徴とする請求項２記載のキャビネット。
【請求項４】
前記固定部材は、導電性を有し、
前記接地用の端子部と前記保持部材とは、前記固定部材を介して、電気的に接続されている
ことを特徴とする請求項３記載のキャビネット。
【請求項５】
前記端子台は、前記第２規定方向に長尺であって、
前記第３規制部は、前記端子台の長手方向の一端部に配置されている
ことを特徴とする請求項１ないし請求項４のいずれか１項に記載のキャビネット。
【請求項６】
前記端子台は、前記少なくとも２個の端子部が取り付けられる取付部材を有し、
前記取付部材には、前後方向に沿った軸を中心にした前記少なくとも２個の端子部の回転を規制する第４規制部が、複数個設けられている
ことを特徴とする請求項１ないし請求項５のいずれか１項に記載のキャビネット。
【請求項７】
主幹ブレーカと、分岐ブレーカと、前記主幹ブレーカ及び前記分岐ブレーカを収納する、請求項１ないし請求項６のいずれか１項に記載のキャビネットとを備えている
ことを特徴とする分電盤。
【発明の詳細な説明】
【技術分野】
【０００１】
本発明は、キャビネット及び分電盤に関する。
【背景技術】
【０００２】
従来、１個の主幹ブレーカと複数個の分岐ブレーカとが箱体に収納された分電盤が提供されている（特許文献１）。
【０００３】
特許文献１記載の分電盤の箱体は、前面が開口された矩形箱状の箱本体と、箱本体の開口を塞ぐ蓋体とで構成されている。箱本体は、壁面等の造営面に埋め込み配置される。箱本体の内部には、端子台が設けられている。
【０００４】
端子台は、２本の連結ねじを用いて、箱本体における２個の支持片間に架設されている。
【先行技術文献】
【特許文献】
【０００５】
【特許文献１】特開２００４−６４８６９号公報
【発明の概要】
【発明が解決しようとする課題】
【０００６】
ところで、特許文献１記載の分電盤では、端子台を箱本体に取り付けるとき、２本の連結ねじを用いる必要があるため、施工時の作業性を向上させることが難しい。
【０００７】
本発明は、上述の事由に鑑みてなされ、本発明の目的は、施工時の作業性を向上させることが可能なキャビネット及び分電盤を提供することである。
【課題を解決するための手段】
【０００８】
本発明の一態様に係るキャビネットは、前面が開口された矩形箱状の筐体と、少なくとも２個の端子部を含む端子台と、前記端子台を保持する保持部材とを備えている。前記保持部材は、前記筐体の内部に設けられている。前記保持部材には、前記筐体に対する前後方向への前記端子台の移動を規制する第１規制部と、前記筐体に対する前後方向に直交する第１規定方向への前記端子台の移動を規制する第２規制部と、が設けられている。前記端子台には、前記筐体に対する前後方向及び前記第１規定方向に直交する第２規定方向への前記端子台の移動を規制する第３規制部が、設けられている。前記端子台は、前後方向、前記第１規定方向及び前記第２規定方向への移動が許可される第１状態と、前記第１規定方向への移動が前記第２規制部により規制される第２状態との間で変位し、かつ、前記第２状態と、前後方向及び前記第１規定方向への移動が前記第１規制部及び前記第２規制部により規制される第３状態との間で変位するように構成されている。前記第３規制部は、前記第３状態で、前記筐体に対する前記第２規定方向への前記端子台の移動を規制する。
【０００９】
本発明の一態様に係る分電盤は、主幹ブレーカと、分岐ブレーカと、前記主幹ブレーカ及び前記分岐ブレーカを収納する前記キャビネットとを備えている。
【発明の効果】
【００１０】
本発明のキャビネット及び分電盤では、施工時の作業性を向上させることが可能になる。
【図面の簡単な説明】
【００１１】
【図１】図１は、本実施形態のキャビネットの分解斜視図である。
【図２】図２は、本実施形態のキャビネットを備えた分電盤のブロック図である。
【図３】図３は、本実施形態のキャビネットの斜視図である。
【図４】図４は、本実施形態のキャビネットの端子台の斜視図である。
【図５】図５は、本実施形態のキャビネットの取付部材の斜視図である。
【図６】図６は、本実施形態のキャビネットの取付部材の他の斜視図である。
【図７】図７Ａは、本実施形態のキャビネットの取付部材及び保持部材の側面図である。図７Ｂは、本実施形態のキャビネットの取付部材の側面図である。
【図８】図８は、本実施形態のキャビネットの取付部材及び保持部材の他の斜視図である。
【図９】図９は、本実施形態のキャビネットの保持部材の斜視図である。
【図１０】図１０は、本実施形態のキャビネットの保持部材の他の斜視図である。
【図１１】図１１Ａ〜図１１Ｃは、本実施形態のキャビネットの組み立て手順の説明図である。
【発明を実施するための形態】
【００１２】
以下の実施形態は、キャビネット及びそれを用いた分電盤に関し、より詳細には、端子台を有するキャビネット及びそれを用いた分電盤に関する。
【００１３】
以下、本実施形態のキャビネット１０について、図１〜図１０を参照しながら説明する。なお、以下では、説明の便宜上、キャビネット１０を用いた分電盤３００（図２参照）を説明した後に、キャビネット１０について詳細に説明する。
【００１４】
分電盤３００は、図２に示すように、キャビネット１０と、主幹ブレーカ１００と、３台の分岐ブレーカ２００とを備えている。キャビネット１０は、主幹ブレーカ１００及び３台の分岐ブレーカ２００を収納する。３台の分岐ブレーカ２００の各々は、同じ構成及び機能を有している。なお、以下では、３台の分岐ブレーカ２００のうち１台の分岐ブレーカ２００のみについて説明し、残り２台の分岐ブレーカ２００については、説明を省略する。また、主幹ブレーカ１００及び分岐ブレーカ２００の構成及び機能は、従来周知であるから、説明を適宜省略する。
【００１５】
主幹ブレーカ１００は、第１入力端子１０１ａと、第２入力端子１０１ｂと、第１出力端子１０２ａと、第２出力端子１０２ｂとを備えている。
【００１６】
第１入力端子１０１ａには、キャビネット１０の外部から引き込まれた第１ケーブル７０ａが電気的に接続されている。第２入力端子１０１ｂには、キャビネット１０の外部から引き込まれた第２ケーブル７０ｂが電気的に接続されている。第１ケーブル７０ａ及び第２ケーブル７０ｂは、電源用のケーブルである。本実施形態では、第１ケーブル７０ａがＮ相であり、第２ケーブル７０ｂがＬ相である。なお、第１ケーブル７０ａ及び第２ケーブル７０ｂは、分電盤３００に含まない。
【００１７】
第１出力端子１０２ａは、第１接続線８０ａを介して、後述の端子台２と電気的に接続されている。第２出力端子１０２ｂは、第２接続線８０ｂを介して、分岐ブレーカ２００と電気的に接続されている。なお、第１接続線８０ａ及び第２接続線８０ｂは、分電盤３００に含まないが、分電盤３００に含まれてもよい。
【００１８】
分岐ブレーカ２００は、入力端子２０１と、出力端子２０２とを備えている。
【００１９】
入力端子２０１は、第２接続線８０ｂを介して、主幹ブレーカ１００の第２出力端子１０２ｂと電気的に接続されている。出力端子２０２には、キャビネット１０の外部から引き込まれた第１電源線９０ａが電気的に接続されている。また、出力端子２０２は、第１電源線９０ａを介して、負荷５００と電気的に接続されている。負荷５００は、キャビネット１０の外部に設置されている。負荷５００は、例えば、照明器具、空調機器等である。また、負荷５００は、第２電源線９０ｂを介して、後述の端子台２と電気的に接続されている。なお、第１電源線９０ａ及び第２電源線９０ｂは、分電盤３００に含まない。
【００２０】
以下、キャビネット１０について、詳細に説明する。なお、以下の説明では、特に断りがない限り、図１中に示す向きを「上下方向」、「左右方向」及び「前後方向」と定義する。上下方向は、第１規定方向に相当する。左右方向は、第２規定方向に相当する。
【００２１】
キャビネット１０は、例えば、壁面等の造営面に埋め込み配置される。キャビネット１０は、筐体１と、端子台２と、保持部材３とを備えている。
【００２２】
筐体１は、前面が開口された矩形箱状に形成されている。筐体１は、金属により形成されている。例えば、筐体１は、鉄により形成されている。本実施形態では、筐体１は、接地されている。
【００２３】
筐体１は、底壁１１と、側壁１２と、一対の取付片１３ａ，１３ｂとを有している。底壁１１は、矩形板状に形成されている。側壁１２は、底壁１１の周縁から前方に向かって突出している。一対の取付片１３ａ，１３ｂの各々は、板状（図示例では、矩形板状）に形成されている。一対の取付片１３ａ，１３ｂは、筐体１の側壁１２の左側壁１２ａ及び右側壁１２ｂに、それぞれ設けられている。具体的には、取付片１３ａは、左側壁１２ａの前端縁に、設けられている。取付片１３ｂは、右側壁１２ｂの前端縁に、設けられている。一対の取付片１３ａ，１３ｂは、互いに近づく向きに突出するように、左側壁１２ａ及び右側壁１２ｂに、それぞれ設けられている。
【００２４】
一対の取付片１３ａ，１３ｂには、それぞれ一対のねじ孔１４ａ，１４ｂが形成されている。各ねじ孔１４ａ，１４ｂは、ねじ（図示せず）を締め付けるための孔である。これにより、キャビネット１０では、例えば、筐体１の一対の取付片１３ａ，１３ｂに、筐体１の前面（開口面）を塞ぐ蓋を取り付けることが可能になる。この場合、蓋は、矩形板状に形成されている。また、蓋は、一対の取付片１３ａ，１３ｂに取り付けられた状態において、一対のねじ孔１４ａ，１４ｂに対応する位置に、一対の貫通孔がそれぞれ形成されている。各貫通孔は、上記ねじを挿通するための孔である。
【００２５】
端子台２は、３個の端子部２１と、取付部材２２とを有している。３個の端子部２１の各々は、直方体状に形成されている。また、３個の端子部２１の各々は、金属により形成されている。例えば、３個の端子部２１の各々は、真鍮により形成されている。
【００２６】
３個の端子部２１は、接地用の端子部２１ａ、漏電検出用の端子部２１ｂ及びＮ相の端子部２１ｃである。各端子部２１ａ〜２１ｃは、ねじ付き端子である。接地用の端子部２１ａ及びＮ相の端子部２１ｃの左右方向の寸法は、漏電検出用の端子部２１ｂの左右方向の寸法よりも長い。なお、以下では、接地用の端子部２１ａ、漏電検出用の端子部２１ｂ及びＮ相の端子部２１ｃを特に区別しない場合、「端子部２１」として説明する。また、以下では、説明の便宜上、接地用の端子部２１ａを「第１端子部２１ａ」と称し、漏電検出用の端子部２１ｂを「第２端子部２１ｂ」と称し、Ｎ相の端子部２１ｃを「第３端子部２１ｃ」と称することもある。
【００２７】
端子部２１の下面には、上下方向に貫通する孔（貫通孔）２３が、複数個設けられている。複数個の貫通孔２３は、端子部２１の下面に、左右方向に並んで配置されている。各貫通孔２３は、第１接続線８０ａ（図２参照）、第２電源線９０ｂ（図２参照）、アース線等の電線の先端を挿入するための孔である。
【００２８】
第１端子部２１ａには、１５個の貫通孔２３が設けられている。第１端子部２１ａの下面には、第１端子部２１ａの左右方向の中央部を除き、中央部の右側に８個の貫通孔２３が配置され、中央部の左側に７個の貫通孔２３が配置されている。つまり、第１端子部２１ａの下面の中央部には、貫通孔２３が設けられていない。上記７個の貫通孔２３のうち１個の貫通孔２３は、アース線の先端を挿入するための孔である。この孔は、第１端子部２１ａの下面の左端に配置されている。
【００２９】
第２端子部２１ｂには、７個の貫通孔２３が設けられている。第２端子部２１ｂの下面には、第２端子部２１ｂの左右方向の中央部を除き、中央部の右側に３個の貫通孔２３が配置され、中央部の左側に４個の貫通孔２３が配置されている。つまり、第２端子部２１ｂの下面の中央部には、貫通孔２３が設けられていない。上記３個の貫通孔２３のうち１個の貫通孔２３は、第２端子部２１ｂと漏電遮断器とを電気的に接続するための電線の先端を挿入するための孔である。この孔は、第２端子部２１ｂの下面の右端に配置されている。
【００３０】
第３端子部２１ｃには、１５個の貫通孔２３が設けられている。第３端子部２１ｃの下面には、第３端子部２１ｃの左右方向の中央部を除き、中央部の右側に７個の貫通孔２３が配置され、中央部の左側に８個の貫通孔２３が配置されている。つまり、第３端子部２１ｃの下面の中央部には、貫通孔２３が設けられていない。上記７個の貫通孔２３のうち１個の貫通孔２３は、第３端子部２１ｃと主幹ブレーカ１００の第１出力端子１０２ａとを電気的に接続するための第１接続線８０ａの先端を挿入するための孔である。この孔は、第３端子部２１ｃの下面の右端に配置されている。
【００３１】
端子部２１の前面には、複数個のねじ孔２４が設けられている。複数個のねじ孔２４は、端子部２１の前面に、左右方向に並んで配置されている。複数個のねじ孔２４は、それぞれ複数個の貫通孔２３と繋がっている。各ねじ孔２４は、ねじ９（図３参照）を締め付けるための孔である。
【００３２】
端子部２１の前面における左右方向の中央部には、前後方向に貫通する孔（貫通孔）２５が、１個設けられている。
【００３３】
第１端子部２１ａに設けられた貫通孔２５は、後述の第３規制部４０を挿通するための孔である。第２端子部２１ｂに設けられた貫通孔２５は、ねじ（第１取付ねじ）５を挿通するための孔である。第３端子部２１ｃに設けられた貫通孔２５は、ねじ（第２取付ねじ）６を挿通するための孔である。
【００３４】
第１端子部２１ａの前面には、１５個のねじ孔２４が設けられている。第１端子部２１ａの前面における１５個のねじ孔２４のうち７個のねじ孔２４は、第１端子部２１ａの前面において貫通孔２５の左側に配置され、残り８個のねじ孔２４は、第１端子部２１ａの前面において貫通孔２５の右側に配置されている。
【００３５】
第２端子部２１ｂの前面には、７個のねじ孔２４が設けられている。第２端子部２１ｂの前面における７個のねじ孔２４のうち４個のねじ孔２４は、第２端子部２１ｂの前面において貫通孔２５の左側に配置され、残り３個のねじ孔２４は、第２端子部２１ｂの前面において貫通孔２５の右側に配置されている。
【００３６】
第３端子部２１ｃの前面には、１５個のねじ孔２４が設けられている。第３端子部２１ｃの前面における１５個のねじ孔２４のうち８個のねじ孔２４は、第３端子部２１ｃの前面において貫通孔２５の左側に配置され、残り７個のねじ孔２４は、第３端子部２１ｃの前面において貫通孔２５の右側に配置されている。
【００３７】
キャビネット１０では、例えば、第３端子部２１ｃの貫通孔２３に第２電源線９０ｂを挿入した後、ねじ孔２４にねじ９を締め付けることで、負荷５００と端子台２とを電気的に接続することが可能になる。
【００３８】
取付部材２２は、３個の端子部２１が取り付けられるように構成されている。取付部材２２は、直方体状に形成されている。取付部材２２は、電気的な絶縁性を有している。例えば、取付部材２２は、合成樹脂により形成されている。
【００３９】
取付部材２２には、３個の収容部２６が設けられている。３個の収容部２６は、取付部材２２の左右方向に並んで配置されている。３個の収容部２６は、それぞれ３個の端子部２１を収容する。
【００４０】
３個の収容部２６は、第１収容部２６ａ、第２収容部２６ｂ及び第３収容部２６ｃである。第１収容部２６ａは、第１端子部２１ａを収容する。第２収容部２６ｂは、第２端子部２１ｂを収容する。第３収容部２６ｃは、第３端子部２１ｃを収容する。第１収容部２６ａは、取付部材２２の左右方向の左側に配置されている。第２収容部２６ｂは、取付部材２２の左右方向の中央部に配置されている。第３収容部２６ｃは、取付部材２２の左右方向の右側に配置されている。なお、以下では、第１収容部２６ａ、第２収容部２６ｂ及び第３収容部２６ｃを特に区別しない場合、「収容部２６」として説明する。
【００４１】
収容部２６は、図３，４に示すように、端子部２１の上面、右側面、左側面及び後面を囲むように構成されている。具体的には、収容部２６は、図４に示すように、上壁部４１と、右壁部４２と、左壁部４３と、後壁部４４とを有している。上壁部４１は、端子部２１が収容部２６に収容されたときに、端子部２１の上面と対向する。右壁部４２は、端子部２１が収容部２６に収容されたときに、端子部２１の右側面と対向する。左壁部４３は、端子部２１が収容部２６に収容されたときに、端子部２１の左側面と対向する。後壁部４４は、端子部２１が収容部２６に収容されたときに、端子部２１の後面と対向する。
【００４２】
右壁部４２には、一対の第１挟持片４５ａ，４５ｂが設けられている。一対の第１挟持片４５ａ，４５ｂは、端子部２１が収容部２６に収容されたときに、端子部２１の右端部を取付部材２２の上下方向の両側から挟むように構成されている。一対の第１挟持片４５ａ，４５ｂの各々は、右壁部４２から左方に向かって突出している。
【００４３】
左壁部４３には、一対の第２挟持片４６ａ，４６ｂが設けられている（図３参照）。一対の第２挟持片４６ａ，４６ｂは、端子部２１が収容部２６に収容されたときに、端子部２１の左端部を取付部材２２の上下方向の両側から挟むように構成されている。一対の第２挟持片４６ａ，４６ｂの各々は、左壁部４３から右方に向かって突出している。
【００４４】
後壁部４４には、図５に示すように、一対の第３挟持片４７ａ，４７ｂが設けられている。一対の第３挟持片４７ａ，４７ｂは、端子部２１が収容部２６に収容されたときに、端子部２１の後端部を取付部材２２の上下方向の両側から挟むように構成されている。一対の第３挟持片４７ａ，４７ｂの各々は、後壁部４４から前方に向かって突出している。
【００４５】
キャビネット１０では、一対の第１挟持片４５ａ，４５ｂ、一対の第２挟持片４６ａ，４６ｂ及び一対の第３挟持片４７ａ，４７ｂが、それぞれ端子部２１の右端部、左端部及び後端部を挟むので、端子部２１を取付部材２２に取り付け可能となる（図４参照）。
【００４６】
第１挟持片４５ａ、第２挟持片４６ａ及び第３挟持片４７ａは、一体に形成されている。第１収容部２６ａでは、第１挟持片４５ｂ及び第３挟持片４７ｂが一体に形成されている。第２収容部２６ｂ及び第３収容部２６ｃでは、第２挟持片４６ｂ及び第３挟持片４７ｂが一体に形成されている。
【００４７】
収容部２６の後壁部４４における左右方向の中央部には、図５に示すように、前後方向に貫通する孔（貫通孔）４８が、１個設けられている。第１収容部２６ａの後壁部４４に設けられた貫通孔４８は、後述の第３規制部４０を挿通するための孔である。第２収容部２６ｂの後壁部４４に設けられた貫通孔４８は、第１取付ねじ５を挿通するための孔である。第３収容部２６ｃの後壁部４４に設けられた貫通孔４８は、第２取付ねじ６を挿通するための孔である。
【００４８】
第２収容部２６ｂの後壁部４４の後面には、図５及び図６に示すように、貫通孔４８に対応する位置に、第１ナット７（図１参照）が収納される第１収納部４９ａが形成されている。第１ナット７は、第２収容部２６ｂの後壁部４４の貫通孔４８に挿通される第１取付ねじ５と結合する。第３収容部２６ｃの後壁部４４の後面には、図５及び図６に示すように、貫通孔４８に対応する位置に、第２ナット８（図１参照）が収納される第２収納部４９ｂが形成されている。第２ナット８は、第３収容部２６ｃの後壁部４４の貫通孔４８に挿通される第２取付ねじ６と結合する。
【００４９】
また、取付部材２２の上面における前端縁には、図５及び図６に示すように、文字情報を表示する表示板５０が、３個設けられている。文字情報は、番号や記号である。３個の表示板５０の各々は、板状（図示例では、矩形板状）に形成されている。３個の表示板５０は、取付部材２２の左右方向に並んで配置されている。また、３個の表示板５０の各々は、取付部材２２の前端縁から上方に向かって突出している。
【００５０】
３個の表示板５０は、第１表示板５０ａ、第２表示板５０ｂ及び第３表示板５０ｃである。第１表示板５０ａは、第１端子部２１ａが取付部材２２に取り付けられた状態において、第１端子部２１ａの近傍に配置されている。第２表示板５０ｂは、第２端子部２１ｂが取付部材２２に取り付けられた状態において、第２端子部２１ｂの近傍に配置されている。第３表示板５０ｃは、第３端子部２１ｃが取付部材２２に取り付けられた状態において、第３端子部２１ｃの近傍に配置されている。
【００５１】
また、取付部材２２の上面には、図６に示すように、４個の突起部５１が設けられている。４個の突起部５１の各々は、直方体状に形成されている。４個の突起部５１は、取付部材２２の左右方向に並んで配置されている。また、４個の突起部５１の各々は、取付部材２２の上面から上方に向かって突出している。４個の突起部５１の各々は、後述の第２規制部３６（図１参照）の突片３８が入り込む溝５３を有する。
【００５２】
４個の突起部５１は、第１突起部５１ａ、第２突起部５１ｂ、第３突起部５１ｃ及び第４突起部５１ｄである。第１突起部５１ａは、取付部材２２の上面において、第１表示板５０ａの左端部の近傍に配置されている。第２突起部５１ｂは、取付部材２２の上面において、第１表示板５０ａの右端部の近傍に配置され、かつ、第２表示板５０ｂの左端部の近傍に配置されている。第３突起部５１ｃは、取付部材２２の上面において、第２表示板５０ｂの右端部の近傍に配置され、かつ、第３表示板５０ｃの左端部の近傍に配置されている。第４突起部５１ｄは、取付部材２２の上面において、第３表示板５０ｃの右端部の近傍に配置されている。なお、以下では、第１突起部５１ａ、第２突起部５１ｂ、第３突起部５１ｃ及び第４突起部５１ｄを特に区別しない場合、「突起部５１」として説明する。また、以下では、第１表示板５０ａ、第２表示板５０ｂ及び第３表示板５０ｃを特に区別しない場合、「表示板５０」として説明する。
【００５３】
４個の溝５３は、それぞれ対応する４個の突起部５１に、取付部材２２の左右方向に沿って形成されている。これにより、キャビネット１０では、後述の第２規制部３６の突片３８が突起部５１の溝５３に入り込んだ後、端子台２を左右方向に移動させることが可能になる。
【００５４】
取付部材２２には、後述の第１規制部３７（図１参照）が入り込む溝（スライド溝）５２が設けられている。スライド溝５２は、図６、図７Ａ及び図７Ｂに示すように、取付部材２２の上面と、３個の表示板５０と、４個の突起部５１とで構成されている。スライド溝５２は、取付部材２２の左右方向に沿って形成されている。これにより、キャビネット１０では、後述の第２規制部３６の突片３８が突起部５１の溝５３に入り込んだ後、端子台２を左右方向に移動させることが可能になる。
【００５５】
保持部材３は、図７Ａ及び図８に示すように、端子台２を保持する。保持部材３は、導電性を有している。例えば、保持部材３は、金属により形成されている。例えば、保持部材３は、鉄により形成されている。本実施形態では、保持部材３は、金属板を曲げ加工することにより形成されている。
【００５６】
保持部材３は、図９及び図１０に示すように、基端片３１と、３枚の側片３２とを有している。基端片３１は、細長い矩形板状に形成されている。３枚の側片３２の各々は、細長い矩形板状に形成されている。３枚の側片３２それぞれの長手方向（左右方向）の寸法は、基端片３１の長手方向（左右方向）の寸法よりも短い。
【００５７】
基端片３１は、基端片３１の長手方向が筐体１の左右方向と一致するように、筐体１の内部に配置されている（図１参照）。基端片３１には、端子台２が保持部材３に保持された状態において、第１収容部２６ａの後壁部４４の貫通孔４８と対向する位置に、ねじ孔３３が形成されている。ねじ孔３３は、第１収容部２６ａの後壁部４４の貫通孔４８に挿通された後述の第３規制部４０が締め付けられる孔である。また、基端片３１には、端子台２が保持部材３に保持された状態において、取付部材２２の第１収納部４９ａ及び第２収納部４９ｂと対向する位置に、切欠部３４がそれぞれ形成されている。２個の切欠部３４，３４は、端子台２が保持部材３に保持されたときに、第１収納部４９ａ及び第２収納部４９ｂが基端片３１に当たるのを回避するように形成されている（図８参照）。２個の切欠部３４，３４の各々は、基端片３１の下端縁から上方に向かって窪むように形成されている。なお、本実施形態では、「端子台２が保持部材３に保持されたとき」とは、端子台２に後述の第３規制部４０が取り付けられた状態のときを意味する。
【００５８】
基端片３１の上側の上端縁には、３枚の側片３２が設けられている。３枚の側片３２は、第１側片３２ａ、第２側片３２ｂ及び第３側片３２ｃである。第１側片３２ａ、第２側片３２ｂ及び第３側片３２ｃは、基端片３１の上端縁に、左右方向に並んで配置されている。本実施形態では、第１側片３２ａ、第２側片３２ｂ及び第３側片３２ｃは、筐体１の側壁１２の上側壁１２ｃ（図１参照）に、取り付けられている。例えば、第１側片３２ａ、第２側片３２ｂ及び第３側片３２ｃは、筐体１の上側壁１２ｃに、溶接されている。
【００５９】
基端片３１は、基端片３１の上端縁に、４個の切欠部３５が形成されている。４個の切欠部３５の各々は、基端片３１の上端縁から下方に向って窪むように形成されている。４個の切欠部３５は、第１切欠部３５ａ、第２切欠部３５ｂ、第３切欠部３５ｃ及び第４切欠部３５ｄである。第１切欠部３５ａ、第２切欠部３５ｂ、第３切欠部３５ｃ及び第４切欠部３５ｄは、基端片３１の上端縁に、左右方向に並んで設けられている。
【００６０】
第１切欠部３５ａは、基端片３１の上端縁において、第１側片３２ａの左端部の近傍に設けられている。第２切欠部３５ｂは、基端片３１の上端縁において、第１側片３２ａの右端部の近傍に設けられ、かつ、第２側片３２ｂの左端部の近傍に設けられている。第３切欠部３５ｃ、基端片３１の上端縁において、第２側片３２ｂの右端部の近傍に設けられ、かつ、第３側片３２ｃの左端部の近傍に設けられている。第４切欠部３５ｄは、基端片３１の上端縁において、第３側片３２ｃの右端部の近傍に設けられている。なお、以下では、第１側片３２ａ、第２側片３２ｂ及び第３側片３２ｃを特に区別しない場合、「側片３２」として説明する。また、以下では、第１切欠部３５ａ、第２切欠部３５ｂ、第３切欠部３５ｃ及び第４切欠部３５ｄを特に区別しない場合、「切欠部３５」として説明する。
【００６１】
保持部材３には、３個の第１規制部３７と、４個の第２規制部３６とが設けられている。３個の第１規制部３７の各々は、筐体１に対する前後方向への端子台２の移動を規制するように構成されている。４個の第２規制部３６の各々は、筐体１に対する上下方向（第１規定方向）への端子台２の移動を規制するように構成されている。
【００６２】
３個の第１規制部３７の各々は、細長い矩形板状に形成されている。３個の第１規制部３７それぞれの上下方向の寸法は、基端片３１の上下方向の寸法よりも短い。
【００６３】
３個の第１規制部３７は、それぞれ３枚の側片３２に設けられている。具体的には、第１側片３２ａに設けられた第１規制部３７は、第１側片３２ａの前端縁から下方に向かって突出している。第２側片３２ｂに設けられた第１規制部３７は、第２側片３２ｂの前端縁から下方に向かって突出している。第３側片３２ｃに設けられた第１規制部３７は、第３側片３２ｃの前側の前端縁から下方に向かって突出している。
【００６４】
４個の第２規制部３６は、この４個の第２規制部３６と３枚の側片３２とが平行するように、４個の切欠部３５にそれぞれ設けられている。４個の第２規制部３６の各々は、ほぼ同じ構成である。なお、以下では、４個の第２規制部３６のうち１個の第２規制部３６のみについて説明し、残り３個の第２規制部３６については、説明を省略する。
【００６５】
第２規制部３６は、突片３８と、連結片３９とを有している。突片３８は、端子台２が保持部材３に保持されたときに、突起部５１の溝５３に入り込むように形成されている（図７Ａ及び図８参照）。連結片３９は、矩形板状に形成されている。連結片３９の後端は、切欠部３５に固定されている。突片３８は、連結片３９の前端縁から前方に向かって突出している。連結片３９の左右方向の寸法は、突片３８の左右方向の寸法よりも長い。これにより、キャビネット１０では、第２規制部３６の根元（連結片３９）の強度を高めることが可能となり、第２規制部３６の劣化を抑制することが可能になる。
【００６６】
端子台２には、図１及び図３に示すように、１個の第３規制部４０が設けられている。第３規制部４０は、筐体１に対する左右方向（第２規定方向）への端子台２の移動を規制するように構成されている。第３規制部４０は、固定部材４である。固定部材４は、端子台２を保持部材３に固定するように構成されている。固定部材４は、導電性を有している。例えば、固体部材４は、金属により形成されている。固定部材４は、ねじ（固定ねじ）である。固定部材４は、端子台２における取付部材２２の左右方向（長手方向）の一端部（図示例では、左端部）に配置されている。
【００６７】
第１端子部２１ａと保持部材３とは、電気的に接続されている。より詳細には、第１端子部２１ａと保持部材３とは、固定部材４を介して、電気的に接続されている。
【００６８】
取付部材２２における収容部２６の上壁部４１には、図１に示すように、複数個の第４規制部５４が設けられている。複数個の第４規制部５４は、取付部材２２の左右方向に並んで配置されている。また、複数個の第４規制部５４の各々は、上壁部４１から下方向に向かって突出している。第１収容部２６ａに設けられた第４規制部５４の個数は、３個である。第２収容部２６ｂに設けられた第４規制部５４の個数は、２個である。第３収容部２６ｃに設けられた第４規制部５４の個数は、３個である。
【００６９】
複数個の第４規制部５４の各々は、前後方向に沿った軸（固定部材４の軸）を中心にした３個の端子部２１の回転を規制するように構成されている。言い換えれば、複数個の第４規制部５４の各々は、取付部材２２に取り付けられた３個の端子部２１が固定部材４の軸を中心に回転するのを規制するように構成されている。具体的には、第１収容部２６ａの上壁部４１に設けられた３個の第４規制部５４は、第１端子部２１ａが固定部材４の軸を中心に回転するのを規制するように構成されている。第２収容部２６ｂの上壁部４１に設けられた２個の第４規制部５４は、第２端子部２１ｂが固定部材４の軸を中心に回転するのを規制するように構成されている。第３収容部２６ｃの上壁部４１に設けられた３個の第４規制部５４は、第３端子部２１ｃが固定部材４の軸を中心に回転するのを規制するように構成されている。
【００７０】
以下、キャビネット１０の組み立て手順について、図１１Ａ〜図１１Ｃに基づいて説明する。なお、以下では、取付部材２２に、３個の端子部２１が取り付けられている。また、以下では、筐体１の上側壁１２ｃに、保持部材３が取り付けられている。
【００７１】
作業者は、まず、保持部材３の４個の第２規制部３６が、端子台２の４個の突起部５１それぞれの溝５３に入り込むように、端子台２と保持部材３とを組み合わせる（図１１Ａ参照）。これにより、キャビネット１０では、端子台２が筐体１に対して上下方向に移動するのを規制することが可能になる。すなわち、端子台２は、前後方向、上下方向及び左右方向への移動が許可される状態（第１状態）と、上下方向への移動が第２規制部３６により規制される状態（第２状態）との間で変位することができる。なお、第１状態は、図１１Ａに示す状態を意味する。また、第２状態は、図１１Ｂに示す状態を意味する。
【００７２】
次に、作業者は、保持部材３の３個の第１規制部３７が、端子台２の取付部材２２のスライド溝５２に入り込むように、端子台２を保持部材３の左右方向の一方向（図示例では、左方向）にスライドさせる（図１１Ｂ参照）。これにより、キャビネット１０では、端子台２が筐体１の上下方向及び前後方向に移動するのを規制することが可能になる。すなわち、端子台２は、第２状態と、前後方向及び上下方向への移動が第１規制部３７及び第２規制部３６により規制される状態（第３状態）との間で変位することができる。なお、第３状態は、図１１Ｃに示す状態を意味する。
【００７３】
最後に、作業者は、端子台２が保持部材３に固定されるように、第３規制部４０（固定部材４）を、貫通孔２５及び貫通孔４８に通して、ねじ孔３３に締め付ける（図１１Ｃ参照）。すなわち、第３規制部４０は、第３状態で、筐体１に対する左右方向への端子台２の移動を規制することができる。これにより、キャビネット１０では、端子台２が筐体１の上下方向、前後方向及び左右方向に移動するのを規制することが可能になる。
【００７４】
よって、キャビネット１０では、端子台２を、筐体１の内部に設けられた保持部材３に取り付けることが可能になる。言い換えれば、保持部材３は、端子台２を保持することが可能になる。
【００７５】
ところで、特許文献１記載の分電盤では、端子台を箱本体に取り付けるとき、端子台を、２本の連結ねじを用いて、箱本体における２個の支持片間に架設されている。
【００７６】
これに対して、本実施形態のキャビネット１０では、端子台２を筐体１に取り付けるとき、１本の固定部材４を用いて、端子台２を保持部材３に固定することができる。よって、キャビネット１０では、端子台２を筐体１に取り付けるとき、特許文献１記載の分電盤よりも、必要なねじの本数が少なくなる。したがって、本実施形態のキャビネット１０では、特許文献１記載の分電盤よりも、施工時の手間を省くことが可能となり、施工時の作業性を向上させることが可能になる。
【００７７】
また、本実施形態のキャビネット１０では、保持部材３に第１規制部３７及び第２規制部３６が設けられ、かつ、端子台２に第３規制部４０が取り付けられている。これにより、本実施形態のキャビネット１０では、単に、ねじの本数を少なくする場合に比べて、端子台２が筐体１に対してがたつくのを抑制可能になる。また、本実施形態のキャビネット１０では、単に、ねじの本数を少なくする場合に比べて、端子台２が筐体１から脱落するのを抑制可能になる。すなわち、本実施形態のキャビネット１０では、施工時の不具合を抑制することが可能になる。
【００７８】
以上説明したように、本実施形態のキャビネット１０は、前面が開口された矩形箱状の筐体１と、少なくとも２個の端子部２１を含む端子台２と、端子台２を保持する保持部材３とを備えている。保持部材３は、筐体１の内部に設けられている。保持部材３には、筐体１に対する前後方向への端子台２の移動を規制する第１規制部３７と、筐体１に対する前後方向に直交する第１規定方向（上下方向）への端子台２の移動を規制する第２規制部３６と、が設けられている。端子台２には、筐体１に対する前後方向及び第１規定方向に直交する第２規定方向（左右方向）への端子台２の移動を規制する第３規制部４９が、設けられている。端子台２は、前後方向、第１規定方向及び第２規定方向への移動が許可される第１状態と、第１規定方向への移動が第２規制部３６により規制される第２状態との間で変位するように構成されている。また、端子台２は、第２状態と、前後方向及び第１規定方向への移動が第１規制部３７及び第２規制部３６により規制される第３状態との間で変位するように構成されている。第３規制部４０は、第３状態で、筐体１に対する第２規定方向への端子台２の移動を規制する。
【００７９】
この構成によれば、本実施形態のキャビネット１０では、端子台２を筐体１に取り付けるとき、第３規制部４０を用いて、端子台２を保持部材３に保持させることができる。よって、キャビネット１０では、端子台２を筐体１に取り付けるとき、特許文献１記載の分電盤よりも、必要なねじの本数が少なくなる。したがって、本実施形態のキャビネット１０では、特許文献１記載の分電盤よりも、施工時の手間を省くことが可能となり、施工時の作業性を向上させることが可能になる。
【００８０】
また、本実施形態のキャビネット１０では、保持部材３に第１規制部３７及び第２規制部３６が設けられ、かつ、端子台２に第３規制部４０が設けられている。これにより、キャビネット１０では、単に、ねじの本数を少なくする場合に比べて、端子台２が筐体１に対してがたつくのを抑制可能になる。また、キャビネット１０では、単に、ねじの本数を少なくする場合に比べて、端子台２が筐体１から脱落するのを抑制可能になる。すなわち、本実施形態のキャビネット１０では、施工時の不具合を抑制することが可能になる。
【００８１】
第３規制部４０は、上述のように、端子台２を保持部材３に固定する固定部材４であることが好ましい。
【００８２】
この構成によれば、本実施形態のキャビネット１０では、端子台２を筐体１に取り付けるとき、固定部材４を用いて、端子台２を保持部材３に固定することができる。よって、キャビネット１０では、端子台２を保持部材３に固定するための部材を、第３規制部４０とは別に設ける必要がない。
【００８３】
保持部材３は、上述のように、導電性を有することが好ましい。少なくとも２個の端子部２１のうち１個の端子部２１は、接地用の端子部２１ａであることが好ましい。接地用の端子部２１ａと保持部材３とは、電気的に接続されていることが好ましい。
【００８４】
この構成によれば、本実施形態のキャビネット１０では、接地用の端子部２１ａを、保持部材３を介して、筐体１と電気的に接続することができる。よって、キャビネット１０では、接地用の端子部２１ａを、例えば電線を介して、筐体１と電気的に接続する場合に比べて、施工時の作業性を向上させることが可能になる。
【００８５】
固定部材４は、上述のように、導電性を有することが好ましい。接地用の端子部２１ａと保持部材３とは、固定部材４を介して、電気的に接続されていることが好ましい。
【００８６】
この構成によれば、本実施形態のキャビネット１０では、接地用の端子部２１ａを、固定部材４を介して、保持部材３と電気的に接続することができる。よって、キャビネット１０では、接地用の端子部２１ａと保持部材３とを電気的に接続するための電線が不要となる。その結果、キャビネット１０では、接地用の端子部２１ａと保持部材３とを電気的に接続するための電線を用いる場合に比べて、施工時の手間を省くことが可能となり、施工時の作業性をより向上させることが可能になる。
【００８７】
端子台２は、上述のように、第２規定方向に長尺であることが好ましい。第３規制部４０は、端子台２の長手方向の一端部に配置されていることが好ましい。
【００８８】
この構成によれば、本実施形態のキャビネット１０では、端子台２を保持部材３にしっかり固定させることが可能になる。
【００８９】
端子台２は、上述のように、少なくとも２個の端子部２１が取り付けられる取付部材２２を有していることが好ましい。取付部材２２には、前後方向に沿った軸（固定部材４の軸）を中心にした少なくとも２個の端子部２１の回転を規制する第４規制部５４が、複数個設けられていることが好ましい。
【００９０】
この構成によれば、本実施形態のキャビネット１０では、端子部２１の貫通孔２３に挿入された電線（例えば、第２電源線９０ｂ等）が筐体１の下方に向って応力が働くとき、端子部２１が固定部材４の軸を中心に回転するのを抑制することが可能となる。よって、キャビネット１０では、施工時の作業性をより向上させることが可能になる。
【００９１】
以上説明したように、本実施形態の分電盤３００は、主幹ブレーカ１００と、分岐ブレーカ２００と、主幹ブレーカ１００及び分岐ブレーカ２００を収納するキャビネット１０とを備えている。
【００９２】
この構成によれば、本実施形態の分電盤３００では、キャビネット１０を備えているので、施工時の作業性を向上させることが可能になる。
【００９３】
なお、分電盤３００は、３台の分岐ブレーカ２００を備えているが、４台以上の分岐ブレーカ２００を備えていてもよい。また、分電盤３００は、２台以下の分岐ブレーカ２００を備えていてもよい。
【００９４】
筐体１及び保持部材３は、鉄に限らず、例えば、アルミニウム、ステンレス等により形成されていてもよい。保持部材３は、筐体１の上側壁１２ｃに取り付けられている（溶接されている）が、これに限らない。保持部材３は、筐体１と一体成形されていてもよい。
【００９５】
端子部２１の個数は、３個であるが、２個であってもよい。例えば、端子台２は、漏電検出用の端子部２１ｂを有していなくてもよい。
【００９６】
固定部材４は、ねじに限らず、例えば、リベット等であってもよい。また、固定部材４は、金属により形成されているが、これに限らない。固定部材４は、例えば、合成樹脂により形成されていてもよい。この場合、固定部材４は、例えば、端子台２が保持部材３に保持されたときに、端子台２が筐体１の左右方向に移動するのを規制するロック機構（例えば、爪）であることが望ましい。
【００９７】
接地用の端子部２１ａと保持部材３とは、固定部材４を介して、電気的に接続されているが、これに限らない。接地用の端子部２１ａと保持部材３とは、例えば、電線を介して、電気的に接続されていてもよい。
【００９８】
以上説明した実施形態は、本発明の一例に過ぎず、本発明は、上述の実施形態に限定されることはなく、この実施形態以外であっても、本発明に係る技術的思想を逸脱しない範囲であれば、設計等に応じて種々の変更が可能である。
【符号の説明】
【００９９】
１  筐体
２  端子台
３  保持部材
４  固定部材
１０  キャビネット
２１  端子部
２１ａ  接地用の端子部
２２  取付部材
３６  第２規制部
３７  第１規制部
４０  第３規制部
５４  第４規制部
１００  主幹ブレーカ
２００  分岐ブレーカ
３００  分電盤
【図１】
2017118701.tif 000003
【図２】
2017118701.tif 000004
【図３】
2017118701.tif 000005
【図４】
2017118701.tif 000006
【図５】
2017118701.tif 000007
【図６】
2017118701.tif 000008
【図７】
2017118701.tif 000009
【図８】
2017118701.tif 000010
【図９】
2017118701.tif 000011
【図１０】
2017118701.tif 000012
【図１１】
2017118701.tif 000013